(57)【要約】      （修正有）【課題】装飾性木製平板表面を使用した容器、用具に、摩擦などの耐性、および耐水性にも優れおり、白色部が浮き出ており、凹凸も見られて立体感をもたらした絵柄、図柄、写真、文体を施した表面を持つ木質表面を持つ板材製品を提供する。【解決手段】低密木質、白色から薄茶色を呈して、本質に特殊な香りを持つ木製平板に装飾された平板材において、比重０．４５以下である低密木質材の厚さ０．５〜３０ｍｍの木質製の特長ある木目模様を持ち、面の粗さ±０．１ｍｍ以内の平板を縦横５０〜１０００ｍｍの形状にして、前記特性を持つ木材の平板表面の２０〜８０％の面積に白色を含むフルカラーの６色のＵＶ硬化インクによって、ＵＶプリントされた日本古来の絵柄、又は祝い様相の精巧で、緻密な絵柄、或は図柄、或いはプリント写真、或は文体を、耐水性で立体感を持たせた状態で前記平板表面に施されているＵＶプリントした精巧な模様木質表面を持つ板材製品。【選択図】図１
2018161884.tif 000002
【特許請求の範囲】
【請求項１】
低密木質、白色から薄茶色を呈して、木質に特殊な香りを持つ木製平板に装飾された平板材において、比重０．４５以下である低密木質材の厚さ０．５〜３０ｍｍの木質製の特長ある木目模様を持ち、面の粗さ±０．１ｍｍ以内の平板を縦横５０〜１０００ｍｍの形状にして、前記特性を持つ木材の平板表面の２０〜８０％の面積に白色を含むフルカラーの６色のＵＶ硬化インクによって、ＵＶプリントされた日本古来の絵柄、又は祝い様相の精巧で、緻密な絵柄、或は図柄、或いはプリント写真、或は文体を、耐水性で立体感を持たせた状態で前記平板表面に施されていることを特徴とするＵＶプリントした精巧な模様木質表面を持つ板材製品。
【請求項２】
ＵＶプリントは、木質表面に独特の質感と立体感を際立たせて定着させることと、滑らかにした光沢感を表現するために、白色を含むフルカラーの６色のＵＶ硬化インクと、プリンターヘッド部分のＵＶ−ＬＥＤランプの光源を使用したプリント印刷を１〜５回まで繰り返せしてインク吐出後のインクを迅速に硬化させて、凹凸感をもたらす盛り上げ部分の高低性と精密性を制御できるようにして、白色を引き立たせて立体感を持たせた絵柄、図柄、写真、文字を描いた平板になっていることを特徴とする請求項１、又は請求項２に記載のＵＶプリントした精巧な模様木質表面を持つ板材製品。
【請求項３】
前記低密木質材の厚さ０．５〜３０ｍｍの木質製の特長ある木目模様を持ち、面の粗さ±０．１ｍｍ以内で、白色から薄茶色を呈した低密木質表面平板上に、緻密な立体感を持たせたＵＶカラープリント印刷を行うにあたり、初刷りのカラーＵＶプリントにおいて、所望の絵柄、図柄、写真、文字に合わせて絵柄、図柄の輪郭上に、白インクを高濃度に吐出して、白色部を強調できるＵＶプリントになるようにしていることを特徴とする請求項１〜請求項３のいずれかに記載のＵＶプリントした精巧な模様木質表面を持つ板材製品。
【請求項４】
木質平板の表面における前記装飾性木製板材は、好みの容器、用具、装飾具を選択して、しかも無垢木材の木目状態を呈している容器、用具、装飾具における蓋と表板と側板の表面に、要望する日本古来の絵柄、又は祝い様相の精巧で、緻密な立体感を持つ絵柄、或は図柄、或はプリント写真、或は文体を描いており、親近者、友人、親戚の顔写真、又はスナップ写真、又は好みの風景・自然、植物・動物・食品のプリント写真、又はペット写真と、何時も心に思っている言葉など選ばれた文体とから構成された画像を受けて、好みの容器、用具、装飾具の蓋、又は表面、又は側面の木質表面材の２０〜８０％の面積に、前記画像を前記木材の色彩、木目の形状、模様を持つ平滑木質木材に立体感を持たせたＵＶプリントに仕上げられた装飾性平板材であることを特徴とする請求項１〜請求項４のいずれかに記載のＵＶプリントした精巧な模様木質表面を持つ板材製品。
【請求項５】
前記木質平板に立体感を持つＵＶプリントされた装飾された表面材を持つ用具、及び装飾具は、上面、側面、底裏面、内面の表面のうち１〜２面に、食卓用具としてテーブルマットの表面、装飾具として壁掛け、又は据え置き装飾板、及び天井板の表面であり、当該用具、及び装飾具が、平板形状、又は多角形体、又は円形体、又は楕円形体又は半円形体、又は三日月形、ハート形体であることを特徴とする請求項１〜請求項６のいずれかに記載のＵＶプリントした精巧な模様木質表面を持つ板材製品。
【請求項６】
蓋付装飾性木製筒状容器の本体は、部分的に一部の端にＵＶプリントされた精巧で立体的な模様を呈する木質表面を持つ０．５〜２ｍｍの平板材を端部に残して、少なくとも二重、又は五重に巻いた積層体にした側板を持つ楕円形、又はハート型、又は瓢箪型、又は略円形の蓋付き容器で、楕円形、円形様として、直径５０〜１００ｍｍ、又はハート型、又は瓢箪型として長さ１００〜３００ｍｍで、容積３００〜１５００ｍｌの筒状形体で、０．５〜２ｍｍの厚さの薄板を使用して張り合わせた側板の厚さを１．６〜５ｍｍにした側板を使用している蓋付き小型略円筒状容器であって、前記筒状形体においては印籠型嵌め込み式、或は被せ式での蓋を付けており、蓋面の平板と容器の外側面に緻密な絵柄、或は図柄、或はプリント写真、或は文体を描いた立体感を持たせて、ＵＶプリントされた装飾性木製容器になっていることを特徴とする請求項１〜請求項７のいずれかに記載のＵＶプリントした精巧な模様木質表面を持つ板材製品。
【発明の詳細な説明】
【技術分野】
【０００１】本発明は、装飾性木製平板表面を使用した容器、用具、装飾具にＵＶプリント印刷を施した精巧・緻密な特殊模様の無垢木材の木目・色彩の状態で蓋、又は表板と側板、内板の表面に、顧客が要望する日本古来の絵柄、又は祝い様相の精巧で、緻密な絵柄、或は図柄、或いはプリント写真、或は文体を描いた表面を持つ木質表面を持つ板材製品に関するものである。
【背景技術】
【０００２】従来、箸袋とテーブルマットの食事用具は、紙製、樹脂製、布製が一般であって、木製のものは少ない。また一般に箸袋として、略二等辺三角形状の布地と、前記布地の裏面底辺側に設けられた箸留部材と、前記布地の頂部近傍に設けられた結束部材とを備え、前記箸留部材に箸を差し込み、前記布地の底辺側の二隅を内側に折り曲げ、次いで、前記布地の底辺側から頂部側に向かって箸を巻き込み、然る後、前記結束部材によって止着されている（特許文献１参照）。【０００３】近年の技術革新及び流通機構の発展に伴い、容体や蓋体の立体的形状に独創的なデザインが施された紙箱も流通市場に登場している。しかし、紙箱は、その用途がそもそも商品の包装資材であることから、その保管の容易性や輸送適応性が重要視される。未だ多くの紙箱には、六面体や円柱体などのように積み上げ易くかつ嵩張らない一般的な立体的形状が採用されており、紙箱のデザインにおいては、現在もなお模様や色彩などの平面的装飾が極めて重要なデザイン要素であると言える。木製品は少ない。【０００４】天板の切断部及び側面板との境目がなくなり新しい感性、ファッション性のある高級感を付与した複合素材包装用木箱で、側面板の上部内側を丸鋸刃でＬ型に切り欠きして上部内側切り欠き部を設け、側面板内側に丸鋸刃でＵ溝を切り欠きし、中敷チップボールを差し込み、枠組み接着したのち、天板を落とし込み接着固定する木製箱が提案されている（特許文献２参照）。【０００５】食用容器として、容体又は蓋本体の外面に凹設される凹所と、その凹所に嵌合可能な形状であって前記容体及び蓋本体とは別体の１枚の印刷用シートを用いて形成され、その印刷用シートの一面であって、印刷の施される化粧面を有した化粧板とを備えている箱が提案されている。（特許文献３参照）。【０００６】また木製箱の生産では、顧客からのデザイン要求及び受注量に応じて製造が行われているため、木製箱の製造業者は、デザインの異なる多種類の箱を少量ずつ製造することを求められることがある。多種多様な商品を少量販売することにより個々の商品の高付加価値化を目指すという、近年の商品販売戦略の下では、デザインの異なる多種多様な木製箱の少量受注がより一層増加する傾向にある。【０００７】  近年の技術革新及び流通機構の発展に伴い、容体や蓋体の立体的形状に独創的なデザインが施された紙箱も流通市場に登場している。しかし、紙箱は、その用途がそもそも商品の包装資材であることから、その保管容易性や輸送適応性が重要視される。このため、未だ多くの紙箱には、六面体や円柱体などのように積み上げ易くかつ嵩張らない一般的な立体的形状が採用されており、紙箱のデザインにおいては、現在もなお模様や色彩などの平面的装飾が極めて重要なデザイン要素である。【０００８】木製の連結重箱において、複数の木製蝶番を備え、複数の辺部を有する多角形多段木製ケースにおいて、収容部を有する蓋体と辺部において、木製蝶番によって結合され、収納部を有する箱体と前記収納部と前記辺部以外の別の辺部において木製蝶番によって結合された収納部を有する箱体とを有する多段木製ケースが提案されている（特許文献４参照）。【０００９】また食品用収納容器として、所定���厚さの木材板よりなる木材層を備えた板材より構成される箱体の構造であって、少なくとも前面部，底面部，背面部，蓋面部となる各面部を、前記シート状基材を残して所定角度のＶ字状の溝をそれぞれ平行に複数切削形成して、該溝に直交する両側端縁に板厚の幅と略同幅長の段落ち部を形成し、前記前面部，底面部，背面部における前記段落ち部に位置して左右側板を接着固定して箱本体を構成して、前記背面部に前記溝を介して連続する前記蓋面部を開閉自在とし、左右側板の上端縁に当接される箱体の構造が提案されている（特許文献５参照）。【００１０】食品容器として、側枠と、上記側枠の下面側に一体的に取り付けられた底板と、上記側枠の上面側に着脱自在に被せられる蓋板とを備え、内部に調理済みの食品が収納される弁当箱において、側枠、底板、蓋板のいずれか一つの特定部材が木材の単体からなり、他の部材が合成樹脂材からなる弁当箱が提案されている（特許文献６参照）。【００１１】重箱として、容体又は蓋本体の外面に凹設される凹所と、その凹所に嵌合可能な形状であって前記容体及び蓋本体とは別体の１枚の印刷用シートを用いて形成され、その印刷用シートの一面であって、印刷の施される化粧面を有した化粧板とを備えている箱が提案されている（特許文献７参照）。【００１２】木製で製作された装飾用木板で、平板表面にＵＶプリント印刷を施した表面に絵柄、図柄を描いた木製表面のテーブルマット、及び装飾板で、存在しておらず、とくに耐久性のある精巧なＵＶプリント印刷を施した表面の平板の食卓用具、装飾板は存在していない。この木製平滑平板盤は木の香りとその殺菌性で衛生的な装飾性テーブルマットである平板木製の食卓用品、および壁掛け並びに記念品用、贈答用装飾板は存在していない。また汚れも目立たないものも見当たらない。また木製で製作された重箱で、前記箱容器体及び蓋体には蓋面、側面、底面の表面の印刷を施した表面を用いて形成され使用できる木製の食品用の連結箱体は存在しておらず、とくに耐久性のある精巧なＵＶプリント印刷を施した表面の箱体の容器は存在していない。
【先行技術文献】
【特許文献】
【００１３】
【特許文献１】実用新案登録第３０６０３１５号公報
【特許文献２】特開２００３−２６１６３号公報
【特許文献３】実用新案登録第３１６０８３４号
【特許文献４】特開２０１２−２３６６４６号公報
【特許文献５】特開２００４−３４５６７３号公報
【特許文献６】実用新案登録第３１９４７７９号公報
【特許文献７】実用新案登録第３１６０８３４号公報
【発明の概要】
【発明が解決しようとする課題】
【００１４】木製テーブルマットの食卓用品、及び壁掛け用、記念品用、贈答用装飾板、天井板にあっては、紙製、樹脂製、布製であって、それ自身抗菌性もなく、また、箸についた汁や汚れが（布地に染み込むため）飛び散らせることなく、携帯することができるといった利点を有するものの、木製平滑平板板の本体に汚れが付着し易いといった問題があり、衛生的見地からしても好ましいものではなかった。ＵＶプリント印刷をした装飾された木製の表面平板のもつ容器、用具、装飾具は存在していなく、ＵＶプリント印刷の特性を持つ板材の期待が高い。【００１５】低密の木質木材の平板材を使用した平板表面に、デザインの異なる多種類の絵柄入り装飾性木製平板を少量生産した場合、一デザイン当たりの平板の生産数量が減少することから、製造コストが高くなってしまう。また同一デザインの絵柄入り装飾性重箱用容器を大量生産する場合に比べて、自ずと箱体の１個当たりの製造コストが高くなり、また木目を持つ表面に精巧なＵＶプリントを施した絵柄、図柄、写真におけるデザインの多種類の絵柄入り装飾性木製平板材は製造されていない。またそのような装飾を施した低密木質で特質な木目を持つ木材における容器、テーブルマット、及び装飾板などの木製平板材においては、顧客に対して低廉な価格で提供できないという問題点があった。【００１６】木製用具、装飾板などの装飾性木製平板材の平板表面の素材としてスギ材、ヒノキ材、桐材、モミ材、ファルカタ材であって、厚紙、樹脂に絵柄を印刷されることにより製出された平板の食卓用具は、安っぽくて気品が無く低級さを感受するものであった。また特殊な木質の木製平板材は、装飾性を持つ立体感になり、剛性と高級感が出現するが、高価となり、昨今の風潮に合致せず逆行するものとなる。【００１７】本発明はこのような従来の問題点に鑑みてなされたもので、木の温もりと木の香りとその殺菌性で衛生的なの平板材の容器、用具、装飾具で、汚れを簡単にふき取ることもできることが期待されている。木質で木の香りをもって、衛生的なＵＶプリント印刷されて、装飾性木製平板材における木製ＵＶプリント印刷をした装飾された木製の表面平板のもつ容器、用具、装飾具を提供することを目的としたものである。【００１８】  また、顧客がデザインの多種類の特殊の木製食品用重箱用容器を要望する場合、一部の特殊デザインの商品の売れ行きが伸びるが、別の商品の販売数量が当初の見込みを大幅に越えるような状況が生じなく、特殊商品毎に木製重箱用容器のデザインを異ならせれば、当該一部の商品の特殊絵柄の木製重箱用容器を期待されている。各箱体の接合は印籠型嵌め込み式で、側面においては連続均一表面状態になっている木製箱体に、装飾面を構成する木製箱体の表面部材に精巧な緻密なＵＶプリント刷を施した特殊の装飾性模様の絵柄、図柄、写真を描いており、また木製箱体容器の表面に刻印されたものでもあり、剛性と高級感が得られず、簡易包装が尊ばれる昨今の風潮に合致せず逆行するものとなった。【００１９】本発明では、厚紙、樹脂に絵柄を印刷されることにより製出された重箱容器、食卓用具などは、安っぽくて気品が無く低級さを感受するものであった。これに当たり装飾性である絵柄、図柄���写真付き木製重箱体容器として気品を充分に保ち、且つ高価にはならずに提供出来、または飾り物として室内の装飾品として利用して、木質容器において有効に活用出来る絵柄付き木製容器を提供することを目的とする。日本古来の絵柄、又は祝い様相の絵柄における精巧な図柄によって、容器自体が重臣感をもった製品になった。装飾板の化粧面はＵＶプリント印刷により作り出されるので、特殊デザインが異なる多種多様表面の装飾化粧板な容器を提供することを課題としている。
【課題を解決するための手段】
【００２０】木製平板に装飾された平板材において、比重０．４５以下である低密木質材の厚さ０．５〜３０ｍｍの木質製の特長ある木目模様を持ち、面の粗さ±０．１ｍｍ以内の平板を縦横５０〜１０００ｍｍの形状にして、前記平板表面に、前記特性を持つ木材の平板表面の２０〜８０％の面積に白色を含むフルカラーの６色のＵＶ硬化インクによって、ＵＶプリントされた日本古来の絵柄、又は祝い様相の精巧で、緻密な絵柄、或は図柄、或いはプリント写真、或は文体を施されているＵＶプリントした精巧な模様木質表面を持つ板材である。また木目は３０ｍｍ以下の幅のものが望ましいが、全体から節を持ち、特徴ある杢目の形状のものが絵柄、図柄を引き立たせることで好ましい。【００２１】装飾性木質平板は、低密木質、白色から薄茶色を呈して、木質に特殊な香りを持つスギ材、桐材、ファルカタ材、モミ材、ヒノキ材から選ばれた厚さ０．５〜３０ｍｍの木製平板を縦幅５０〜１０００ｍｍ、横幅５０〜１０００ｍｍの平板状の形状で、前記特性を持つ木材の平板表面の２０〜８０％の面積に、精巧なＵＶプリントされた絵柄、図柄、写真、文字を耐水性で立体感を持つ形状の状態で施されている。【００２２】ＵＶプリントは、木質表面に独特の質感と立体感を際立たせて定着させることと、滑らかにした光沢感を表現するために、白色を含むフルカラーの６色のＵＶ硬化インクと、プリンターヘッド部分のＵＶ−ＬＥＤランプの光源を使用したプリント印刷を１〜５回まで繰り返せしてインク吐出後のインクを迅速に硬化させて、凹凸感をもたらす盛り上げ部分の高低性と精密性を制御できるようにしている。【００２３】低密木質表面上に緻密な立体感を持たせたＵＶカラープリント印刷を行うにあたり、初刷りのカラーＵＶプリントにおいて、所望の絵柄、図柄、写真、文字に合わせて絵柄、図柄の輪郭上に、白インクを高濃度に吐出して、白色部を強調できる印刷になるようにしている。【００２４】木質平板の表面における前記装飾性木製板材は、好みの容器、用具、装飾具を選択して、しかも無垢木材の木目状態で容器、用具、装飾具における蓋と表板と側板の表面に、顧客が要望する日本古来の絵柄、又は祝い様相の精巧で、緻密な絵柄、或は図柄、或いはプリント写真、或は文体を描いており、親近者、友人、親戚の顔写真、又はスナップ写真、又は好みの風景・自然、植物・動物・食品のプリント写真、又はペット写真と、顧客が何時も心に思っている言葉など選ばれた文体とから構成された画像を受けて、好みの容器、用具、装飾具の蓋、又は表面、又は側面の木質表面材に、前記画像を前記木材の色彩、木目、面粗さの木質に合わせてＵＶプリントされている装飾性平板材である。【００２５】ＵＶプリント印刷を施した平板表面に対して、ＵＶプリントされた日本古来の絵柄、又は祝い様相の精巧で、緻密な絵柄、或は図柄、或いはプリント写真、或は文体を描いており、当該絵柄・図柄は、浮世絵、著名な山、日本古来の用具、動物、人物像、植物、建物、絵画、自然であって、風神雷神の絵柄、鶴の絵柄、龍の絵柄、花笠絵柄、花吹雪絵柄、桜梅絵柄、松竹梅絵柄、御所車絵柄、浮世絵絵柄、扇絵柄、鶴亀絵柄、万華鏡絵柄、鳳凰絵柄、月兎絵柄、花車絵柄、市松模様絵柄、扇子���様絵柄、友禅絵柄  絣模様絵柄，花菊絵柄  から選ばれた１種、又は２種以上の立体感を持たせた絵柄・図柄、及び写真を平板表面の２０〜８０％の面積に施されている。【００２６】前記木質平板に前記ＵＶプリントされた装飾された平板表面材を持つ容器、及び用具、及び装飾具は、容器として円形状、箱状で各容器の接合は側板の上下に印籠型嵌め込み式、或は被せ式で、各容器の蓋面、側面、底面、内面の表面のうち１〜２面に、食卓用具としてのテーブルマットの表面、装飾具として、壁掛け、又は据え置き装飾板、及び天井板の表面であり、当該容器、及び用具、及び装飾具が、四角形体、又は多角形体、又は円形体、又は楕円形体又は半円形体、又は三日月形、ハート形体である。【００２７】蓋付装飾性木製容器の本体は、部分的に一部の端にＵＶプリントされた精巧で立体的な模様を呈する木質表面を持つ０．５〜２ｍｍの平板材を端部に残して、少なくとも二重、又は三重に巻いた積層体にした、楕円形、又はハート型、又は瓢箪型、又は略円形の蓋付き容器で、楕円形、円形様として、直径５０〜１００ｍｍ、又はハート型、又は瓢箪型として最長長さ１００〜３００ｍｍで、容積３００〜１５００ｍｌの筒状形体で、０．５〜２ｍｍの厚さの薄板を使用して張り合わせた側板の厚さを１．６〜５ｍｍにし、食品安全性の多糖質系、又はウレタン系の接着剤を使用した前記各平板の接合面に塗布して、前記塗布接合した積層板を、２〜１００ｋｇ／ｃｍ２の加圧成形で処理せれている側板を使用している蓋付き小型略円筒状容器であって、最上面の平板状蓋体と容器の外側面に緻密な絵柄、或は図柄、或いはプリント写真、或は文体を描いたＵＶプリントされた装飾性木製円筒容器になっている。【００２８】木材の比重はヒノキ：０．４１、モミ：０．４４、スギ：０．３．８  桐：０．２９  ファルカタ：０．２であって、空隙によってきまるもので、木材の空隙を含まない実質密度は、１．５程度であって、この比重は木材の空隙率を示しているものである。強度を要しない板材において低比重の木材の表面は、適度な表面粗さと色彩をもっている。また平面の粗さ、すなわち平滑度は印刷の精巧度に依存するが、しかし板表面の装飾度に板表面の粗さと色彩と木目が関連してくる。ＵＶプリント印刷では、立体感を呈した装飾性を持たせるためには適度な特有な板表面の粗さと色彩と木目を持つことが重要である。３０ｍｍ以下の幅の木目を持ち、面の粗さ±０．１ｍｍ以内の上記木材の平板が有効である。【００２９】ＵＶプリントにおいてインクでカラー印刷を終えた後、用紙を引き戻してクリアインクを使用して印刷する、プリントヘッドの左右に搭載されたＵＶ−ＬＥＤランプのタイミングをずらして照射することで印字表面が滑らかになり、光沢感を表現する。表面に細かい凹凸が残っている状態で硬化するようにＵＶ−ＬＥＤランプを照射して、当社独自の制御技術が光沢という質感の違いを再現。マット感や、梨地仕上げなどの半光沢感も簡単に表現できる。プリント印刷を行った後、重ねて印刷することで立体感を表現し重ね印刷は１０回まで繰り返せるので、盛り上げ部分の高さをコントロールできる。
【発明の効果】
【００３０】木製容器、木製用具及び装飾具である装飾性木質平板材に、日本古来の絵柄、又は祝い様相の絵柄における精巧な図柄を描いているＵＶプリント印刷を施した装飾平板表面は、日本古来の絵柄、又は祝い様相の絵柄における精巧な図柄によって、木製容器、木製用具及び装飾具である装飾性木質平板材表面自体が重臣感をもった表面板を持つ製品になった。しかも、平板にＵＶプリントにより作り出されるので、特殊デザインが異なる多種多様表面の装飾化粧板な容器、用具、装飾具を造作もなく製造できる効果がある。ＵＶプリントは、従来の油性インキに比べて摩擦などの耐性、および耐水性にも優れおり、白色部が浮き出ており、凹凸モも見られて立体感をもたらして、プリント部が材質に染み込んでいかないために、ＵＶプリント印刷におけるインキの吸収性の高い木質材料には流動性に気を配るなど必要はなく、また速乾性のためにインキを乾燥させるためにすぐに次の操作に回せ、種々の色合いの立体感のあるプリント体が可能である。【００３１】更に、木質平板の表面においては連続均一表面状態になっている木製容器、用具及び装飾板である装飾性木質平板材に装飾面を構成する木製の重ね容器の形成部材に精巧なＵＶプリントを施すことができて、低密木質、香りを持つ針葉樹であるファルカタ材、モミ材、ヒノキ材、スギ材、桐材等の木質板材の表面に立体感のあるプリント印刷された木製容器表面の形成されたものであり、木製薄板箸袋本体を特殊材料にて成形することによって、食卓用具、容器、装飾具とともに、立体感、清潔感と装飾感を被装することができる衛生的な木製板材表面を提供できるといった効果を奏した。また、本発明の木製容器、及び用具及び装飾具である装飾性木質平板材は、材料として安価な間伐材などを使用できて、大量プリントされた装飾平板の生産に適し、安定に供給を受けて、需要者に提供できる。【００３２】木質箱型容器では、日本古来の絵柄、又は祝い様相の絵柄における精巧な図柄を描いているＵＶプリントを施した装飾板材は、食品等を収納できる木製容器において、当該容器が、四角形体、又は多角形体、又は円筒形体、又は楕円形体で、上記形状体を重なった蓋付き重ね状接合容器で、蓋面、側面、内面、底面の表面のうちどの部分にも施すことができるので、日本古来の絵柄、又は祝い様相の絵柄における精巧な図柄によって、重ね容器自体が重臣感をもった製品になった。しかも、化粧板の化粧面はＵＶプリントにより作り出されるので、特殊デザインが異なる多種多様表面の装飾表面板の容器を造作もなく製造できる効果がある。ＵＶプリントは、耐水性で、摩擦などの耐性にも優れおり、インキが材質に染み込んでいかないために、インキの吸収性の高い木質材料には流動性に気を配るなど必要はない。またさまざまな精巧な絵柄を持つ事柄になり、白色を際立せるものが製作された。また速乾性のためにすぐに次の操作に回せ、種々の色合いの印刷が可能であった。ファルカタ材、檜材、桐材等の木製容器は、立体感のあるＵＶプリント体を持つ高級感が出現し、高価となる絵柄を持ち、重厚性、高級感を得て、装飾品として飾ることができた。
【図面の簡単な説明】
【００３３】
【図１】ＵＶプリントを施した精巧な模様表面を持つ木製用具及び装飾具である装飾性木質平板材製品の斜視図  Ａ：キャンディー容器  Ｂ：食卓用具（テーブルマット）  Ｃ：装飾具
【図２】ＵＶプリントを施した精巧な模様表面を持つ装飾性木質平板材製品における絵柄・図柄の図  Ａ：浮世絵  Ｂ：日の出鶴  Ｃ：風神雷神
【図３】ＵＶプリントを施した精巧な模様表面を持つ半月型、長方型の装飾性木質平板材（壁掛け装飾具）製品の斜視図  Ａ：半円型  Ｂ：正方型  Ｃ：六角型
【図４】ＵＶプリントを施した精巧な模様表面を持つ装飾性木質平板材製品（蓋面の装飾）の斜視図  Ａ：被せ式蓋付き容器  Ｂ：嵌め込み式蓋付き容器
【図５】ＵＶプリントを施した精巧な模様表面を持つ装飾性木質平板材製品の図  Ａ：升型容器（文字入り）  Ｂ：Ｒ曲面を持つ弁当容器（絵柄入り）
【図６】ＵＶプリントを施した精巧な模様表面を持つ装飾性木質平板材製品の蓋における絵柄・図柄の図  Ａ：御所車  Ｂ：市松  Ｃ：ペット写真
【発明を実施するための形態】
【００３４】以下、本発明の実施形態について図面に基づいて説明する。図１は、ＵＶプリントを施した精巧な模様表面を持つ装飾性木質平板材の斜視図、図２は、ＵＶプリントを施した精巧な模様表面を持つ装飾性木質平板材の図、図３は、ＵＶプリントを施した精巧な模様表面を持つ装飾性木質平板材における異なる形状の図である。図１は、ＵＶ印刷を施した精巧な模様表面を持つ装飾性木製容器の斜視図、図２は、ＵＶ印刷を施した精巧な模様表面を持つ装飾性木製容器の図、図３は、ＵＶ印刷を施した精巧な模様表面を持つ装飾性木製容器における絵柄図である。
【実施例１】
【００３５】図１Ｂに示すよう木製平板に装飾された平板材において、比重０．３８のである低密木質材の厚さ２０ｍｍのスギ材で、特性ある２０ｍｍ以下の幅の木目で薄茶白色を持ち、面の粗さ±０．０１ｍｍ以内の平板を縦３００ｍｍ横４００ｍｍの長方形状にして、前記平板表面の片面に、ＵＶプリントされた日本古来の絵柄を施した。【００３６】装飾性木質平板は、低密木質、香りを持つスギ材２０ｍｍの木製平板を縦幅３００ｍｍ、横幅４００ｍｍの平板状の形状であって、所望される精巧なＵＶプリントされた絵柄を、耐水性立体形状の状態で前記特殊木質を持つ木材の木目を有する形状の平板表面の片面の５０％の面積に施した。また使用した木質の使用したスギ木材の表面の粗さは接触針法の三次元表面粗さ測定器（（株）東京精密サーフコム１４００Ａ−３ＤＦ−１２）触針の機器によって、ＵＶプリントする木材の表面の粗さと平面性を確認して、面の粗さ±０．０１ｍｍ以内の平板であった。【００３７】ＵＶ印刷は、ローランド社製ＬＥＦ３０型のＵＶ印刷機を使用して、４色フルカラーに白、クリア（グロス）を加えた６色のＵＶ硬化インクと、プリンターヘッド部分のＵＶ−ＬＥＤランプの光源を使用して、プリント印刷を１回まで繰り返せして、凹凸感をもたらす盛り上げ部分の高低を制御させた。低密木質表面上に緻密な立体感を持たせたＵＶカラープリント印刷を行うにあたり、初刷りのカラー印刷上に、所望の絵柄に合わせて、白インクを高濃度にして、白色部を強調できる印刷になるようにした。【００３８】木製平板の表面における前記装飾性木質板材は、好みの食卓用具テーブルマットで、無垢木材の木目状態でテーブルマットの表面に、顧客が要望する精巧で、緻密な絵柄の樹木のある風景・自然画像を受けて、好みのテーブルマットの表面に、前記画像をＵＶプリントしている木質木目に合わせて装飾性平板材であった。コこのテーブルマット使用によって食事には食をそそる気持ちになった。
【実施例２】
【００３９】図１Ｃに示すように木製平板に装飾された平板材において、比重０．４１のである低密木質材の厚さ２０ｍｍのヒノキ材で、特性ある１０ｍｍ以下の幅の木目で薄白色を持ち、面の粗さ±０．０５ｍｍ以内の平板を縦４５０ｍｍ横４５０ｍｍの正方形状にして、前記平板表面の片面に、ＵＶプリントされた浮世絵の絵柄を施した。【００４０】装飾性木質平板は、低密木質、香りを持つヒノキ材１５ｍｍの木製平板を縦幅４５０ｍｍ、横幅４５０ｍｍの平板状の形状であって、所望される精巧なＵＶプリントされた浮世絵の絵柄を、耐水性立体形状の状態で前記特殊木質を持つ木材の木目を有する形状の平板表面の片隅の７０％の面積に施した。【００４１】実施例１と同様に、ＵＶ印刷は、ローランド社のＵＶ印刷機を使用して、４色フルカラーに白、クリア（グロス）を加えた６色のＵＶ硬化インクと、プリンターヘッド部分のＵＶ−ＬＥＤランプの光源を使用して、プリント印刷を３回繰り返せして、凹凸感をもたらす盛り上げ部分の高低を制御させた。低密木質表面上に緻密な立体感を持たせたＵＶカラープリント印刷を行うにあたり、初刷りのカラー印刷上に、所望の絵柄に合わせて、白インクを高濃度にして、白色部を強調できる印刷になるようにした。【００４２】ＵＶプリント印刷を施した図柄は、平板表面に対して、ＵＶプリントされた浮世絵を平板表面の７０％の面積に施した。
木製平板の表面における前記装飾性木質板材は、好みの部屋に置く立てかけ、又は壁掛けの装飾具で、無垢木材の細い木目状態で絵柄の細部に表された表面に、顧客が要望する観賞用植物の様相における精巧で、緻密な図柄の観賞用植物の自然風景の画像を受けて、好みの装飾具での表面に、前記画像をＵＶプリントしている木質木目に合わせて装飾性平板材であった。これを壁に掛けて観賞した。
【実施例３】
【００４３】図１Ａに示すように、木製平板に装飾された平板材において、比重０．２９のである低密木質材の厚さ６ｍｍの桐材で、特性ある木目で白色を持ち、面の粗さ±０．０１ｍｍ以内の平板を縦２１０ｍｍ横２１０ｍｍの正方形状にして、前記平板表面に、ＵＶプリントされた日本古来の浪模様の絵柄を施した。平面性の粗さは実施例１と同様に測定した。【００４４】装飾性木質平板は、低密木質、香りを持つ桐材６ｍｍの木製平板を縦幅２１０ｍｍ、横幅２１０ｍｍの平板状の正方形状であって、所望される精巧なＵＶプリントされた日本古来の波模様の絵柄を、耐水性立体形状の状態で前記特殊木質を持つ平板表面と側面の板材の３５％の面積に施した。【００４５】ＵＶ印刷は、ローランド社製ＬＥＦ３０型のＵＶ印刷機を使用して、４色フルカラーに白、クリア（グロス）を加えた６色のＵＶ硬化インクと、プリンターヘッド部分のＵＶ−ＬＥＤランプの光源を使用して、プリント印刷を２回まで繰り返せして、凹凸感をもたらす盛り上げ部分の高低を制御させた。低密木質表面上に緻密な立体感を持たせたＵＶカラープリント印刷を行うにあたり、初刷りのカラー印刷上に、所望の絵柄に合わせて、白インクを高濃度にして、白色部を強調できる印刷になるようにした。【００４６】前記木質平板に前記ＵＶプリントされた装飾された平板表面材を持つ容器は、重箱状容器で各箱体の接合は側板の上下に被せ式で、各箱体からなる重箱状容器の蓋面に、浪模様を設けて、蓋付き重箱状接合容器当該容器が、一枚の箱体を縦２１０ｍｍ、横２１０ｍｍ、一辺の高さ４３ｍｍ、の四角形体で、全体の高さとして１００ｍｍであって、厚さ６ｍｍの厚さの桐材の平板からなって、各箱体の接合は被せ式で、側面においては連続均一表面状態にした。【００４７】重箱状接合容器で、それらの蓋面、側面の表面のうち２面で当該面に対してローランド社製ＬＥＦ３０型のＵＶ印刷で施した日本古来の絵柄における精巧な図柄を各面に対して３５％程度の割合面積で、当該絵柄は、絵柄を蓋面の各面に施した。【００４８】重箱状接合容器は、蓋体と各箱体の縁部に接合で、各箱体を３ｍｍの嵌め込み式形状になって、前記の縁部で開口の接合箇所に嵌め込み接合に適合した状態にしており、前記箱体及び蓋体には蓋面、側面の表面にＵＶ印刷を施した精巧な模様の浮世絵と風神雷神の絵柄の表面になって、その側面においては重箱の表面一体に形成され、前記表面体にＵＶ印刷で富士と波の浮世絵の図柄の面は、その表面で３５％程度の面積割合を有した。これは食品を収めた重箱として使用された。
【実施例４】
【００４９】実施例２と同様に木製平板に装飾された平板材において、比重０．４３のである低密木質材の厚さ２０ｍｍのモミ材で、特性ある１０ｍｍ以下の幅の木目で薄白色を持ち、面の粗さ±０．０１ｍｍ以内の平板を縦６００ｍｍ横６００ｍｍの長方形状にして、前記平板表面の片面に、ＵＶプリントされた日本古来の絵柄を施した天井装飾具を製作した。平面性の粗さは実施例１と同様に測定した。【００５０】装飾性木質平板は、低密木質、香りを持つモミ材１０ｍｍの木製平板を縦幅６００ｍｍ、横幅６００ｍｍの平板状の形状であって、所望される精巧なＵＶプリントされた絵柄を、前記特殊木質を持つ木材の木目を有する形状の平板表面の７０％の面積に施した。【００５１】実施例１と同様に、ＵＶプリント印刷を施した図柄は、平板表面に対して、ＵＶプリントされた、風神雷神などの図柄の数種を平板表面の８０％の面積に施した。木製平板の表面における風神雷神など前記装飾性木質板材は、好みの天井板に使用されて、無垢木材の木目状態で天井板の表面に、顧客が要望する風神雷神における精巧で、緻密な絵柄の画像を受けて、部屋の天井板の一部として、ＵＶプリントしている木質木目に合わせて建材用装飾性平板材であった。天井に張って部屋の雰囲気を変えた。
【実施例５】
【００５２】実施例１と同様に、木製平板に装飾された平板材において、比重０．４１のである低密木質材の厚さ２ｍｍのヒノキ材で、特性ある１０ｍ以下の幅の木目で薄白色を持ち、面の粗さ±０．０１ｍｍ以内の平板を縦３５０ｍｍ横４５０ｍｍの長方形状にして、前記平板表面の片面に、ＵＶプリントされた写真を施した。【００５３】装飾性木質平板は、低密木質、香りを持つヒノキ材２０ｍｍの木製平板を縦幅３００ｍｍ、横幅４００ｍｍの平板状の形状であって、所望される精巧なＵＶプリントされた絵柄を、耐水性立体形状の状態で前記特殊木質を持つ木材の木目を有する形状の平板表面の片面の５０％の面積に施した。【００５４】実施例１と同様に、ＵＶプリント印刷を施した木製平板の表面における前記装飾性木質板材は、好みの食卓用具テーブルマットで、無垢木材の木目状態でテーブルマットの表面に、顧客が要望する写真の精巧で、緻密な絵柄の風景・自然画像の写真を受けて、好みのテーブルマットの表面に、前記写真の画像をＵＶプリントしている木質木目に合わせて装飾性平板材であった。
【実施例６】    テーブルマット  薄物【００５５】木製平板に装飾された平板材において、比重０．３８のである低密木質材の厚さ０．５ｍｍのスギ材で、特性ある２０ｍｍ以下の幅の木目で薄茶色を持ち、面の粗さ±０．０１ｍｍ以内の平板を縦４００ｍｍ横５００ｍｍの長尺形状にして、前記平板表面の端一部に、ＵＶプリントされた日本古来の植物の絵柄を施した。【００５６】装飾性木質平板は、低密木質、香りを持つスギ材０．５ｍｍの木製平板を横幅１００ｍｍの平板状の形状であって、所望される精巧なＵＶプリントされた絵柄を、耐水性立体形状の状態で前記特殊木質を持つ木材の木目を有する形状の平板表面の隅部に施した。【００５７】実施例１と同様に、ＵＶプリント印刷を施した木製平板の表面における前記装飾性木質板材は、好みの食卓用具テーブルマットで、無垢木材の木目状態でテーブルマットの表面に、顧客が要望する日本古来の絵柄、又は祝い様相の精巧で、緻密な絵柄の風景・自然画像を受けて、好みのテーブルマットの表面に、前記画像をＵＶプリントしている木質木目に合わせて装飾性平板材であった。
【実施例７】
【００５８】図４Ａ，Ｂに示すように木製平板に装飾された平板材において、比重０．４３のである低密木質材の厚さ１ｍｍのスギ材で、特性ある２０ｍｍ以下の幅の木目で薄茶白色を持ち、面の粗さ±０．０２ｍｍ以内の平板を縦１０００ｍｍ横７０ｍｍの長方形状にして、前記平板表面の片面に、ＵＶプリントされた日本古来の絵柄を施した。平面性の粗さは実施例１と同様に測定した。【００５９】装飾性木質平板は、低密木質、香りを持つスギ材１ｍｍ厚さの木製平板を縦幅１０００ｍｍ、横幅７０ｍｍの平薄板状の形状であって、その隅の部分に所望される精巧なＵＶプリントされた松竹梅の絵柄を、耐水性立体形状の状態で前記特殊木質を持つ木材の木目を有する形状の平板表面の片面の２０％の面積に施した。【００６０】ＵＶ印刷は、ローランド社ＬＥＦ３０型のＵＶ印刷機を使用して、４色フルカラーに白、クリア（グロス）を加えた６色のＵＶ硬化インクと、プリンターヘッド部分のＵＶ−ＬＥＤランプの光源を使用して、プリント印刷を２回まで繰り返せして、凹凸感をもたらす盛り上げ部分の高低を制御させた。初刷りのカラー印刷上に、所望松竹梅の絵柄に合わせて、白インクを高濃度にして、白色部を強調できる低密木質表面上に緻密な立体感を持たせたＵＶカラープリント印刷を行った。【００６１】蓋付装飾性木製容器の本体は、部分的に一部の端に松竹梅の絵柄ＵＶプリントされた精巧で立体的な模様を呈する木質表面を持つ１ｍｍの平板材を端部に残して、少なくとも三重に巻いた積層体にした、楕円形として、直径９０ｍｍ、容積５００ｍｌの筒状形体で、１ｍｍの厚さの薄板を使用して張り合わせた側板の厚さを３ｍｍにした。その上に蓋をして弁当箱にした。【００６２】１ｍｍの厚さの薄板を使用して張り合わせた側板の厚さを３ｍｍにし、食品安全性の多糖質系、又はウレタン系の接着剤を使用した前記各平板の接合面に塗布して、前記塗布接合した積層板を、２〜１００ｋｇ／ｃｍ２の加圧成形で処理せれている側板を使用している蓋付き小型略円筒状容器（弁当箱）であって、この容器の最上面に平板状蓋体を持っている蓋と側面に松竹梅の絵柄ＵＶプリントされた装飾性木製容器の蓋であった。
【実施例８】
【００６３】木製薄板で加工された食事用具として装飾部において、厚さ１０ｍｍの木製の平板を縦３００ｍｍ、横５００ｍｍの長方形、にして、前記平板の片面に、図のＵＶ印刷された浮世絵の緻密な絵柄を施した。食事用具のテーブルマットは、厚さ１０ｍｍのファルカタ木製平板を縦３００ｍｍ、横５００ｍｍの平板状の長方形の形状であって、平板片面の５０％の面積にＵＶ印刷を施した。【００６４】５０％の面積にＵＶ印刷を施した平板片面に対して、ＵＶ印刷された浮世絵であって、浮世絵の絵柄のＵＶ印刷を施した精巧な模様表面を持つ木製装飾具になった。それによって想像力も増して部屋が明るくなった。
【符号の説明】
【００６５】１．ＵＶプリントした板材
２．平板
３．木目
４．テーブルマット
５．ＵＶプリント印刷（図柄、絵柄、写真）
６．文字体
７．壁掛け装飾板
８．天井装飾具
９．薄板巻の側板
１０．容器
１１．蓋体
１２．弁当容器
１３．嵌め込み式蓋
１４．被せ式蓋
１５．升容器
１６．底面
１７．Ｒ曲面を持つ容器
１８．食品
１９．紐と穴
２０．被い接合
２１．浮世絵の絵
２２．風神雷神の絵
２３．日の出鶴の絵
【図１】
2018161884.tif 000003
【図２】
2018161884.tif 000004
【図３】
2018161884.tif 000005
【図４】
2018161884.tif 000006
【図５】
2018161884.tif 000007
【図６】
2018161884.tif 000008
【手続補正書】
【提出日】平成30年7月17日(2018.7.17)
【手続補正１】
【補正対象書類名】特許請求の範囲
【補正対象項目名】全文
【補正方法】変更
【補正の内容】
【特許請求の範囲】
【請求項１】
木製平板に装飾された平板材において、比重０．４５以下である木材の厚さ０．５〜３０ｍｍの板材で、木材製の特長ある木目模様を持ち、表面を木材の粗さを±０．１ｍｍ以内の平滑で、白色から茶色を呈した特性を持つ木材の平板表面の２０〜８０％の面積に、白色、クリアを含むＵＶ硬化インクによるプリント印刷を２〜５回まで繰り返したＵＶプリントで、立体感を持たせた状態で凹凸感をもたらす盛り上げ部分の高低性と精密性を制御できるようにして、白色部を強調できる絵柄、図柄、写真、文字を引き立たせたＵＶプリントを施された表面平板になっていることを特徴とするＵＶプリントした精巧な模様木質表面を持つ板材製品。
【請求項２】
木材平板の表面における前記装飾性木製板材は、無垢木材の木目状態を呈している容器、用具、装飾具における蓋と表板と側板の表面に、絵柄、又は精巧で、緻密な立体感を持つ図柄、或はプリント写真、或は文体を描いており、前記容器、用具、装飾具の蓋、又は表面、又は側面の木材表面の２０〜８０％の面積において、前記画像を前記木材の色彩、木目の形状、模様を持つ平滑木材に、前記ＵＶプリントを行うことによって立体感を持たせた装飾性平板材に仕上げられていることを特徴とする請求項１の記載のＵＶプリントした精巧な模様木質表面を持つ板材製品。
【請求項３】
前記木板に立体感を持つＵＶプリントされた装飾された表面材を持つ用具、及び装飾具は、テーブルマット、又は壁掛け、又は据え置き装飾板、及び天井板から選ばれたものであり、各表面のうち１〜２面にＵＶプリントされ、前記用具、及び前記装飾具の形状が、平板形状、又は多角形体、又は円形体、又は楕円形体、又は半円形体、又は三日月形体、又はハート形体から選ばれたものであることを特徴とする請求項１、又は請求項２に記載のＵＶプリントした精巧な模様木質表面を持つ板材製品。
【請求項４】
蓋付装飾性木製筒状容器の本体は、ＵＶプリントされた精巧で立体的な模様を呈する木材の表面を持つ平板材の端部を残して、少なくとも二重〜五重に巻いた積層体にした側板を持つ楕円形、又はハート型、又は瓢箪型、又は略円形の蓋付き容器で、楕円形、及び円形様として直径５０〜１００ｍｍ、又はハート型、又は瓢箪型として長さ１００〜３００ｍｍで、容積３００〜１５００ｍｌの筒状形体であって、厚さを１．６〜５ｍｍにした側板を使用した蓋付き小型略円筒状容器であって、前記筒状形体においては印籠型嵌め込み式、或は被せ式での蓋を付けており、蓋面の平板と容器の外側面に緻密な絵柄、或は図柄、或はプリント写真、或は文体を描いた立体感のある装飾性木製容器になっていることを特徴とする請求項１〜請求項３のいずれかに記載のＵＶプリントした精巧な模様木質表面を持つ板材製品。